(57)【要約】【課題】十分な防水性能を備えて、各シャッタースラットが連結され、シャッターカーテンを構成させる。【解決手段】スラット本体３の下長辺部５に設けられる断面略Ｃ字形状の第１の係合部７と、スラット本体３の上長辺部６に設けられ第１の係合部７内に係合する断面略鉤形状の第２の係合部８と、第１の係合部７の内面７ｃに突設される突条部９と、第２の係合部８の基端縁に位置する奥拡がりな取付溝１０と、取付溝１０に抜脱不能になる取付端縁１４を備え、第２の係合部８を被覆し第１の係合部内面７ｃとの接触に介在するカバー１２と、カバー１２の外側面１２ａに設けられ、シャッターカーテン閉鎖時において第１の係合部内面７ｃの突条部９に対して下方から当接し密着し、かつ、取付溝１０の溝開口縁部１０ｂに上方から当接し密着する突条体１５とを具備する。【選択図】        図２
2004244996.tif 000002
【特許請求の範囲】
【請求項１】
略短冊形状のスラット本体が、上下長辺部同士で可動可能に連結されシャッターカーテンを構成するシャッタースラットの構造であって、
前記スラット本体の下長辺部に設けられ、他のシャッタースラットに向いて開口する奥拡がりな断面略Ｃ字形状の第１の係合部と、
前記スラット本体の上長辺部に設けられ、他のシャッタースラットの前記第１の係合部内に係合する断面略鉤形状の第２の係合部と、
前記スラット本体の表面に沿う前記第２の係合部の外側面に前記スラット本体の長手方向に沿って連続して設けられ、シャッターカーテン閉鎖時において、前記第１の係合部の内面に当接し密着する突条体と、
を具備することを特徴とするシャッタースラットの構造。
【請求項２】
略短冊形状のスラット本体が、上下長辺部同士で可動可能に連結されシャッターカーテンを構成するシャッタースラットの構造であって、
前記スラット本体の下長辺部に設けられ、他のシャッタースラットに向いて開口する奥拡がりな断面略Ｃ字形状の第１の係合部と、
前記スラット本体の上長辺部に設けられ、他のシャッタースラットの前記第１の係合部内に係合する断面略鉤形状の第２の係合部と、
前記第１の係合部の内面に、前記スラット本体の長手方向に沿って連続して突設される突条部と、
前記スラット本体の表面に沿う前記第２の係合部の外側面に前記スラット本体の長手方向に沿って設けられ、シャッターカーテン閉鎖時において、前記第１の係合部内面の突条部に対して下方から当接し密着する突条体と、
を具備することを特徴とするシャッタースラットの構造。
【請求項３】
略短冊形状のスラット本体が、上下長辺部同士で可動可能に連結されシャッターカーテンを構成するシャッタースラットの構造であって、
前記スラット本体の下長辺部に設けられ、他のシャッタースラットに向いて開口する奥拡がりな断面略Ｃ字形状の第１の係合部と、
前記スラット本体の上長辺部に設けられ、他のシャッタースラットの前記第１の係合部内に係合する断面略鉤形状の第２の係合部と、
前記第２の係合部を長手方向に沿って被覆し、前記第１の係合部内面との接触に介在するカバーと、
前記スラット本体の表面に沿う前記カバーの外側面に前記スラット本体の長手方向に沿って設けられ、シャッターカーテン閉鎖時において、前記第１の係合部内面に当接し密着する突条体と、
を具備することを特徴とするシャッタースラットの構造。
【請求項４】
略短冊形状のスラット本体が、上下長辺部同士で可動可能に連結されシャッターカーテンを構成するシャッタースラットの構造であって、
前記スラット本体の下長辺部に設けられ、他のシャッタースラットに向いて開口する奥拡がりな断面略Ｃ字形状の第１の係合部と、
前記スラット本体の上長辺部に設けられ、他のシャッタースラットの前記第１の係合部内に係合する断面略鉤形状の第２の係合部と、
前記第１の係合部の内面に、前記スラット本体の長手方向に沿って連続して突設される突条部と、
前記第２の係合部を長手方向に沿って被覆し、前記第１の係合部内面との接触に介在するカバーと、
前記スラット本体の表面に沿う前記カバーの外側面に前記スラット本体の長手方向に沿って設けられ、シャッターカーテン閉鎖時において、前記第１の係合部内面の突条部に対して下方から当接し密着する突条体と、
を具備することを特徴とするシャッタースラットの構造。
【請求項５】
略短冊形状のスラット本体が、上下長辺部同士で可動可能に連結されシャッターカーテンを構成するシャッタースラットの構造であって、
前記スラット本体の下長辺部に設けられ、他のシャッタースラットに向いて開口する奥拡がりな断面略Ｃ字形状の第１の係合部と、
前記スラット本体の上長辺部に設けられ、他のシャッタースラットの前記第１の係合部内に係合する断面略鉤形状の第２の係合部と、
前記スラット本体の表面における前記第２の係合部の基端縁に位置し、前記他のシャッタースラットの下長辺部に向かって開口する奥拡がりな取付溝と、
該取付溝に係合し該取付溝から抜脱不能となる取付端縁を備えるとともに、前記第２の係合部を長手方向に沿って被覆し、前記第１の係合部内面との接触に介在するカバーと、
前記スラット本体の表面に沿う前記カバーの外側面に前記スラット本体の長手方向に沿って設けられ、シャッターカーテン閉鎖時において、前記第１の係合部内面に当接し密着する突条体と、
を具備することを特徴とするシャッタースラットの構造。
【請求項６】
略短冊形状のスラット本体が、上下長辺部同士で可動可能に連結されシャッターカーテンを構成するシャッタースラットの構造であって、
前記スラット本体の下長辺部に設けられ、他のシャッタースラットに向いて開口する奥拡がりな断面略Ｃ字形状の第１の係合部と、
前記スラット本体の上長辺部に設けられ、他のシャッタースラットの前記第１の係合部内に係合する断面略鉤形状の第２の係合部と、
前記第１の係合部の内面に、前記スラット本体の長手方向に沿って連続して突設される突条部と、
前記スラット本体の表面における前記第２の係合部の基端縁に位置し、前記他のシャッタースラットの下長辺部に向かって開口する奥拡がりな取付溝と、
該取付溝に係合し該取付溝から抜脱不能となる取付端縁を備えるとともに、前記第２の係合部を長手方向に沿って被覆し、前記第１の係合部内面との接触に介在するカバーと、
前記スラット本体の表面に沿う前記カバーの外側面に前記スラット本体の長手方向に沿って設けられ、シャッターカーテン閉鎖時において、前記第１の係合部内面の突条部に対して下方から当接し密着する突条体と、
を具備することを特徴とするシャッタースラットの構造。
【請求項７】
略短冊形状のスラット本体が、上下長辺部同士で可動可能に連結されシャッターカーテンを構成するシャッタースラットの構造であって、
前記スラット本体の下長辺部に設けられ、他のシャッタースラットに向いて開口する奥拡がりな断面略Ｃ字形状の第１の係合部と、
前記スラット本体の上長辺部に設けられ、他のシャッタースラットの前記第１の係合部内に係合する断面略鉤形状の第２の係合部と、
前記第１の係合部の内面に、前記スラット本体の長手方向に沿って連続して突設される突条部と、
前記スラット本体の表面における前記第２の係合部の基端縁に位置し、前記他のシャッタースラットの下長辺部に向かって開口する奥拡がりな取付溝と、
該取付溝に係合し該取付溝から抜脱不能となる取付端縁を備えるとともに、前記第２の係合部を長手方向に沿って被覆し、前記第１の係合部内面との接触に介在するカバーと、
前記スラット本体の表面に沿う前記カバーの外側面に前記スラット本体の長手方向に沿って設けられ、シャッターカーテン閉鎖時において、前記第１の係合部内面の突条部に対して下方から当接し密着し、かつ、前記取付溝の溝開口縁部に上方から当接し密着する突条体と、
を具備することを特徴とするシャッタースラットの構造。
【請求項８】
前記突条体は、前記突条部に対して当接する上半部と、前記溝開口縁部に対して当接する下半部とで構成されることを特徴とする請求項７記載のシャッタースラットの構造。
【請求項９】
前記カバーには、前記突条体の配置位置の裏面となる該カバーの内側面に位置して、前記第２の係合部の外側面に当接する凸部が設けられることを特徴とする請求項５，６，７，８のいずれか１つに記載のシャッタースラットの構造。
【請求項１０】
前記カバーは、合成樹脂素材よりなることを特徴とする請求項３，４，５，６，７，８，９のいずれか１つに記載のシャッタースラットの構造。
【請求項１１】
前記突条体は、合成樹脂を素材として構成されることを特徴とする請求項１，２，３，４，５，６，７，８，９，１０のいずれか１つに記載のシャッタースラットの構造。
【発明の詳細な説明】
【０００１】
【発明の属する技術分野】
本発明は、シャッターカーテンを構成するシャッタースラットの連結部分の構造の改良に関するものである。
【０００２】
【従来の技術】
建物等の開口部分等に配設されるシャッター装置を構成するシャッターカーテンは、略短冊板形状に形成されるシャッタースラットを互いの長辺部同士で可動可能に連結された構造となっている。このような連結構造としては、下記特許文献１に示されるようなものがあり、シャッタースラットの各長辺部には、一方の長辺部に欠円形状の大径嵌合縁が形成され、他方の長辺部に欠円形状の小径嵌合縁が形成されている。そして、これら嵌合縁により連結部を構成して、一方のシャッタースラットの大径嵌合縁の内側に、他方のシャッタースラットの小径嵌合縁を係合して、一定の範囲内で可動可能とされて、各シャッタースラットが連結される。
【０００３】
各シャッタースラットは、一般的に金属素材であり、互いを嵌め合う構造であることから、互いの可動をスムースにするため、及び、風雨による雨水浸入の防止を行うために、欠円形カバーを小径嵌合縁に被嵌して各嵌合縁間に介設して、連結が行われている。
【０００４】
【特許文献１】
実公昭５５−４９４３３号公報
【０００５】
【発明が解決しようとする課題】
しかしながら、上述した従来のシャッタースラットの連結構造では、連結部分の構造が互いに欠円形状であることから、互いの接触面積が大きく、スラット同士の可動がスムースに行われないおそれがある。また、欠円形カバーの形状が、両嵌合縁間の形状に合せた形状であることから、可動を繰り返すことでこの欠円形カバーが連れまわることとなってずれ、脱落するおそれがある。これにより、十分な防水性能を得られないおそれがある。
【０００６】
そこで本発明は、上記課題を解消するために、十分な防水性能を備えて、各シャッタースラットが連結され、シャッターカーテンを構成させることの可能なシャッタースラットの構造を提供することを目的としている。また、シャッタースラットから容易に脱落することのない部材にて防水性及び消音性を有したシャッターカーテンを構成するシャッタースラットの構造を提供することを目的としている。
【０００７】
【課題を解決するための手段】
次に、上記の課題を解決するための手段を、実施の形態に対応する図面を参照して説明する。
この発明の請求項１記載のシャッタースラットの構造は、略短冊形状のスラット本体３が、上下長辺部同士で可動可能に連結されシャッターカーテン１を構成するシャッタースラットの構造であって、
前記スラット本体３の下長辺部５に設けられ、他のシャッタースラット２に向いて開口する奥拡がりな断面略Ｃ字形状の第１の係合部７と、
前記スラット本体３の上長辺部６に設けられ、他のシャッタースラット２の前記第１の係合部７内に係合する断面略鉤形状の第２の係合部８と、
前記スラット本体３の表面３ａに沿う前記第２の係合部８の外側面８ｂに前記スラット本体３の長手方向に沿って連続して設けられ、シャッターカーテン閉鎖時において、前記第１の係合部７の内面７ｃに当接し密着する突条体１５と、
を具備することを特徴とする。
【０００８】
請求項２記載のシャッタースラットの構造は、略短冊形状のスラット本体３が、上下長辺部同士で可動可能に連結されシャッターカーテン１を構成するシャッタースラットの構造であって、
前記スラット本体３の下長辺部５に設けられ、他のシャッタースラット２に向いて開口する奥拡がりな断面略Ｃ字形状の第１の係合部７と、
前記スラット本体３の上長辺部６に設けられ、他のシャッタースラット２の前記第１の係合部７内に係合する断面略鉤形状の第２の係合部８と、
前記第１の係合部７の内面７ｃに、前記スラット本体３の長手方向に沿って連続して突設される突条部９と、
前記スラット本体３の表面３ａに沿う前記第２の係合部８の外側面８ｂに前記スラット本体３の長手方向に沿って設けられ、シャッターカーテン閉鎖時において、前記第１の係合部内面７ｃの突条部９に対して下方から当接し密着する突条体１５と、
を具備することを特徴とする。
【０００９】
このような構成のシャッタースラットの構造では、突条体１５が、第１の係合部７の内面７ｃ或いはこの内面７ｃに設けられる突条部９に対して当接し密着することで、シャッタースラット同士の連結部分において、外部からの雨水などの浸入が防止される。
【００１０】
請求項３記載のシャッタースラットの構造は、略短冊形状のスラット本体が、上下長辺部同士で可動可能に連結されシャッターカーテンを構成するシャッタースラットの構造であって、
前記スラット本体３の下長辺部５に設けられ、他のシャッタースラット２に向いて開口する奥拡がりな断面略Ｃ字形状の第１の係合部７と、
前記スラット本体３の上長辺部６に設けられ、他のシャッタースラット２の前記第１の係合部７内に係合する断面略鉤形状の第２の係合部８と、
前記第２の係合部８を長手方向に沿って被覆し、前記第１の係合部内面７ｃとの接触に介在するカバー１２と、
前記スラット本体３の表面３ａに沿う前記カバー１２の外側面１２ａに前記スラット本体３の長手方向に沿って設けられ、シャッターカーテン閉鎖時において、前記第１の係合部内面７ｃに当接し密着する突条体１５と、
を具備することを特徴とする。
【００１１】
請求項４記載のシャッタースラットの構造は、略短冊形状のスラット本体が、上下長辺部同士で可動可能に連結されシャッターカーテンを構成するシャッタースラットの構造であって、
前記スラット本体３の下長辺部５に設けられ、他のシャッタースラット２に向いて開口する奥拡がりな断面略Ｃ字形状の第１の係合部７と、
前記スラット本体３の上長辺部６に設けられ、他のシャッタースラット２の前記第１の係合部７内に係合する断面略鉤形状の第２の係合部８と、
前記第１の係合部７の内面７ｃに、前記スラット本体３の長手方向に沿って連続して突設される突条部１５と、
前記第２の係合部８を長手方向に沿って被覆し、前記第１の係合部内面７ｃとの接触に介在するカバー１２と、
前記スラット本体３の表面３ａに沿う前記カバー１２の外側面１２ａに前記スラット本体３の長手方向に沿って設けられ、シャッターカーテン閉鎖時において、前記第１の係合部内面７ｃの突条部９に対して下方から当接し密着する突条体１５と、
を具備することを特徴とする。
【００１２】
このような構成のシャッタースラットの構造では、第２の係合部８にカバー１２が被覆されるように設けられることで、各シャッタースラット２を連結した状態で、第１の係合部７との間に、このカバー１２が介在することとなり、シャッターカーテン１の開閉時などの動作の際に、各シャッタースラット２の素材である金属同士が擦れ合うことがなく、カバー１２を介しての緩衝及び摺動が行われ、不快な音を抑制することができる。また、突条体１５が、第１の係合部７の内面７ｃ或いはこの内面７ｃに設けられる突条部９に対して当接し密着することで、シャッタースラット２同士の連結部分において、外部からの雨水などの浸入が防止される。
【００１３】
請求項５記載のシャッタースラットの構造は、略短冊形状のスラット本体が、上下長辺部同士で可動可能に連結されシャッターカーテンを構成するシャッタースラットの構造であって、
前記スラット本体３の下長辺部５に設けられ、他のシャッタースラット２に向いて開口する奥拡がりな断面略Ｃ字形状の第１の係合部７と、
前記スラット本体３の上長辺部６に設けられ、他のシャッタースラット２の前記第１の係合部７内に係合する断面略鉤形状の第２の係合部８と、
前記スラット本体３の表面３ａにおける前記第２の係合部８の基端縁に位置し、前記他のシャッタースラット２の下長辺部５に向かって開口する奥拡がりな取付溝１０と、
該取付溝１０に係合し該取付溝１０から抜脱不能となる取付端縁１４を備えるとともに、前記第２の係合部８を長手方向に沿って被覆し、前記第１の係合部内面７ｃとの接触に介在するカバー１２と、
前記スラット本体３の表面３ａに沿う前記カバー１２の外側面１２ａに前記スラット本体３の長手方向に沿って設けられ、シャッターカーテン閉鎖時において、前記第１の係合部内面７ｃに当接し密着する突条体１５と、
を具備することを特徴とする。
【００１４】
請求項６記載のシャッタースラットの構造は、略短冊形状のスラット本体が、上下長辺部同士で可動可能に連結されシャッターカーテンを構成するシャッタースラットの構造であって、
前記スラット本体３の下長辺部５に設けられ、他のシャッタースラット２に向いて開口する奥拡がりな断面略Ｃ字形状の第１の係合部７と、
前記スラット本体３の上長辺部６に設けられ、他のシャッタースラット２の前記第１の係合部７内に係合する断面略鉤形状の第２の係合部８と、
前記第１の係合部７の内面７ｃに、前記スラット本体３の長手方向に沿って連続して突設される突条部９と、
前記スラット本体３の表面３ａにおける前記第２の係合部８の基端縁に位置し、前記他のシャッタースラット２の下長辺部５に向かって開口する奥拡がりな取付溝１０と、
該取付溝１０に係合し該取付溝１０から抜脱不能となる取付端縁１０を備えるとともに、前記第２の係合部８を長手方向に沿って被覆し、前記第１の係合部内面７ｃとの接触に介在するカバー１２と、
前記スラット本体３の表面３ａに沿う前記カバー１２の外側面１２ａに前記スラット本体３の長手方向に沿って設けられ、シャッターカーテン閉鎖時において、前記第１の係合部内面７ｃの突条部９に対して下方から当接し密着する突条体１５と、
を具備することを特徴とする。
【００１５】
このような構成のシャッタースラットの構造では、第２の係合部８にカバー１２が被覆されるので、各シャッタースラット２を連結した状態で、第１の係合部７との間に、このカバー１２が介在することとなり、シャッターカーテン１の開閉時などの動作の際に、各シャッタースラット２の素材である金属同士が擦れ合うことがなく、カバー１２を介しての緩衝及び摺動が行われ、不快な音を抑制することができる。また、このカバー１２が、取付溝１０に抜脱不能に取り付けられることから、容易に脱落することがない。さらに、突条体１５が、第１の係合部７の内面７ｃ或いはこの内面７ｃに設けられる突条部９に対して当接し密着することで、シャッタースラット２同士の連結部分において、外部からの雨水などの浸入が防止される。
【００１６】
請求項７記載のシャッタースラットの構造は、略短冊形状のスラット本体３が、上下長辺部同士で可動可能に連結されシャッターカーテン１を構成するシャッタースラットの構造であって、
前記スラット本体３の下長辺部５に設けられ、他のシャッタースラット２に向いて開口する奥拡がりな断面略Ｃ字形状の第１の係合部７と、
前記スラット本体３の上長辺部６に設けられ、他のシャッタースラット２の前記第１の係合部７内に係合する断面略鉤形状の第２の係合部８と、
前記第１の係合部７の内面７ｃに、前記スラット本体３の長手方向に沿って連続して突設される突条部９と、
前記スラット本体３の表面３ａにおける前記第２の係合部８の基端縁に位置し、前記他のシャッタースラット２の下長辺部５に向かって開口する奥拡がりな取付溝１０と、
該取付溝１０に係合し該取付溝１０から抜脱不能となる取付端縁１４を備えるとともに、前記第２の係合部８を長手方向に沿って被覆し、前記第１の係合部内面７ｃとの接触に介在するカバー１２と、
前記スラット本体３の表面３ａに沿う前記カバー１２の外側面１２ａに前記スラット本体３の長手方向に沿って設けられ、シャッターカーテン閉鎖時において、前記第１の係合部内面７ｃの突条部９に対して下方から当接し密着し、かつ、前記取付溝１０の溝開口縁部１０ｂに上方から当接し密着する突条体１５と、
を具備することを特徴とする。
【００１７】
このような構成のシャッタースラットの構造では、第２の係合部８にカバー１２が被覆されるので、各シャッタースラット２を連結した状態で、第１の係合部７との間に、このカバー１２が介在することとなり、シャッターカーテン１の開閉時などの動作の際に、各シャッタースラット２の素材である金属同士が擦れ合うことがなく、カバー１２を介しての緩衝及び摺動が行われ、不快な音を抑制することができる。また、このカバー１２が、取付溝１０に抜脱不能に取り付けられることから、容易に脱落することがない。さらに、突条体１５が、第１の係合部７の内面７ｃに設けられる突条部９と、取付溝１０の溝開口縁部１０ｂに対して当接し密着することで、シャッタースラット２同士の連結部分において、その上下のシャッタースラット２間にて外部からの雨水などの浸入が防止される。
【００１８】
請求項８記載のシャッタースラットの構造は、請求項７記載のシャッタースラットの構造において、前記突条体１５は、前記突条部９に対して当接する上半部１５ａと、前記溝開口縁部１０ｂに対して当接する下半部１５ｂとで構成されることを特徴とする。
【００１９】
このような構成のシャッターカーテンの構造では、突条体１５が、第１の係合部７の内面７ｃに設けられる突条部９と、取付溝１０の溝開口縁部１０ｂとに対して、それぞれで上半部１５ａと下半部１５ｂとで当接し密着することとなり、シャッタースラット２同士の連結部分において、その上下のシャッタースラット２間にて外部からの雨水などの浸入が防止される。
【００２０】
請求項９記載のシャッタースラットの構造は、請求項５，６，７，８のいずれか１つに記載のシャッタースラットの構造において、前記カバー１２には、前記突条体１５の配置位置の裏面となる該カバー１２の内側面１２ｂに位置して、前記第２の係合部８の外側面８ｂに当接する凸部１７が設けられることを特徴とする。
【００２１】
このような構成のシャッタースラットの構造では、カバー外側面１２ａの突条体１５が第１の係合部７の突条部９と取付溝１０の溝開口縁部１０ｂとに当接し密着するとともに、凸部１７が第２の係合部８の外側面８ｂに当接し密着することとなり、この凸部１７により、突条体１５が第２の係合部８に対して押圧状態となって、第１の係合部７側に向けてより密着性を向上することとなる。
【００２２】
請求項１０記載のシャッタースラットの構造は、請求項３，４，５，６，７，８，９のいずれか１つに記載のシャッタースラットの構造において、前記カバー１２は、合成樹脂素材よりなることを特徴とする。
【００２３】
このような構成のシャッタースラットの構造では、第２の係合部８を覆い、第１の係合部７との間に介在されるカバー１２が、合成樹脂素材であることから、シャッターカーテン１の開閉時などの動作の際に、各シャッタースラット２の素材である金属同士が擦れ合うことがなく、樹脂素材による緩衝及び摺動が行われ、不快な音を抑制することができる。
【００２４】
請求項１１記載のシャッタースラットの構造は、請求項１，２，３，４，５，６，７，８，９，１０のいずれか１つに記載のシャッタースラットの構造において、前記突条体１５は、合成樹脂を素材として構成されることを特徴とする。
【００２５】
このような構成のシャッタースラットの構造では、突条体１５を合成樹脂より得る構成とすることで、第１の係合部内面７ｃや、この内面７ｃに突設される突条部９に対しての密着性を高めることが可能となり、防水性能を向上させることが可能となる。
【００２６】
【発明の実施の形態】
図１は本発明によるシャッタースラットの構造の実施の形態を示す一部拡大分解斜視図、図２は同シャッタースラットの構造の側面図である。
【００２７】
本発明のシャッタースラットより構成されるシャッターカーテン１は、建物等の開口部や特殊車両の開口部などに配設されるシャッター装置に用いられ、開口部の上縁に配設される収納部内に設けられる巻取軸に巻き取られることで収納されたり、或いは、開口部上縁の奥方に戸袋状に構成される収納部内に略水平な状態で収納され、このシャッターカーテン１が昇降することで開口部の開閉が行われる。
【００２８】
本実施の形態のシャッターカーテン１は、左右方向に長尺となる略短冊形状に形成され、金属素材、例えばアルミニウム型材などよりなるシャッタースラット２で構成される。図２に示すように、本実施の形態でのシャッタースラット２は、スラット本体３が、中空部４を備えた構造とされ、表面３ａが平滑な形状とされ、裏面３ｂは凹状にやや湾曲して形成される。
【００２９】
スラット本体３の下縁及び上縁となる各長辺部５，６には、それぞれ係合部７，８が設けられる。
スラット本体３の下長辺部５に設けられる一方の係合部である第１の係合部７は、連結される他のシャッタースラット２に向いて開口する奥拡がりな断面略Ｃ字形状に形成されている。図１に示すように、本実施の形態の第１の係合部７は、シャッタースラット２の裏面側となる一方の開口縁部７ａが略Ｌ字状に形成されて、溝状の開口部分を幅方向に狭めている。また、この第１の係合部７のスラット表面側となり垂下方向に延出する他方の開口縁部７ｂには、一方の開口縁部７ａに向かって突出する突条部９が設けられている。なおこの突条部９は、スラット本体３の長手方向に沿って連続して突設される。
【００３０】
スラット本体３の上長辺部６に設けられる他方の係合部である第２の係合部８は、連結される他のシャッタースラット２に向かって延出し、この他のシャッタースラット２の第１の係合部７内に係合する。本実施の形態の第２の係合部８は、図１に示すように、先端が略逆Ｖ字状の断面略鉤形状に形成され、この鉤状先端８ａがスラット本体３の裏面３ｂ側に延出している。そして、先端縁が第１の係合部７の一方の開口縁部７ａ側の内面に対向する。
【００３１】
また、このスラット本体３の上長辺部６には、表面３ａ側における第２の係合部８の基端縁に位置して取付溝１０が長手方向に沿って設けられている。この取付溝１０は、第２の係合部８に係合し連結されて上方に位置するシャッタースラット２の下長辺部５に向かって開口するとともに奥拡がりに形成されている。本実施の形態では、図２に示すように、断面矩形状の溝状に形成されている。また、この取付溝１０の開口縁部の一方の開口縁部１０ａは第２の係合部８の基端を兼ね、他方の開口縁部１０ｂは、スラット本体３の表面３ａに連続して形成される直立片１１の内側面となり、上記した第１の係合部内面７ｃに設けられた突条部９と略同形状である条状の縁部とされている。
【００３２】
次に、第２の係合部８には、長手方向に沿ってカバー１２が装着される。カバー１２は、シャッタースラット２と略同等の長さ、若しくはやや短い長尺部材であり、耐衝撃性，耐摩耗性に優れた硬質な合成樹脂を素材としている。そして、このカバー１２は、図１及び図２に示すように、第２の係合部８の外形状に沿う断面略逆Ｊ字状に形成されるとともに、先端には断面略Ｕ字状に形成される被覆部１３を有し、基端には断面略逆Ｔ字状に形成される取付端縁としての抜止片１４が形成されている。先端の被覆部１３は、第２の係合部８の鉤状先端８ａを被覆する。基端の抜止片１４は取付溝１０内に係合し、抜脱不能に取り付けられる。
【００３３】
また、カバー１２の外側面１２ａには、長手方向に沿って突条体１５が設けられる。この突条体１５は、カバー外側面１２ａの基端近傍に位置し、それぞれが断面半円状の上半部１５ａと下半部１５ｂとで構成されており、カバー１５の外側面１２ａに並列して一体となって形成されている。本実施の形態では、下半部１５ｂの突条体１５が、取付溝１０の他方の開口縁部１０ｂを構成する縁部１０ｃに当接するようになっており、この縁部１０ｃが、下半部１５ｂの突条体１５と抜止片１４との間に位置するようになっている。なお、このカバー１２の第２の係合部８への取り付け手順としては、抜止片１４を取付溝１０内へ、被覆部１３を鉤状先端８ａへ、スラット本体２の長手方向端部からスライド挿入することで行われる。そして、このカバー１２は、第２の係合部８の外側面８ｂを覆うとともに、鉤状先端８ａが覆われて取り付けられる。
【００３４】
このカバー１２が第２の係合部８に取り付けられた状態での、第１の係合部７との連結状態、すなわち各シャッタースラット２同士の連結状態は、図２に示すように、カバー１２の被覆部１３で覆われる鉤状先端８ａが第１の係合部内面７ｃに当接して係合しあい連結状態となる。すなわち、各シャッタースラット２の連結部分において、各係合部７，８間にカバー１２が介在することとなる。
【００３５】
また、各シャッタースラット２同士が連結されて構成されるシャッターカーテン１が建物などの開口部を閉鎖する状態においては、図２に示すように、カバー１２の外側面１２ａに設けられた突条体１５の上半部１５ａが第１の係合部７の突条部９に下方から当接して密着し、また突条体１５の下半部１５ｂが取付溝１０の開口縁部１０ｂに上方から当接して密着する。なお、この状態では、各シャッタースラット２の表面側（３ａ）における下縁と上縁となる、第１の係合部７の他方の開口縁部７ｂとスラット本体３の上縁の直立片１１とが所定間隔をあけて互いに対向し、接触しないようになっている。
【００３６】
従ってこのように構成されたシャッタースラット２の構造では、第１の係合部７と第２の係合部８との間に、合成樹脂製のカバー１２を介在させたので、シャッターカーテン１の開閉時などの動作の際に、各シャッタースラット２の素材である金属同士が擦れ合うことがなく、樹脂素材による緩衝及び摺動が行われ、不快な音を発生させることがなく、すなわち、シャッターカーテン１の開閉時の騒音が低減される。
【００３７】
また、カバー１２が、取付溝１０に抜止不能に取り付けられていることから、シャッタースラット２から脱落することがなく、繰り返し開閉動作などを行っても、消音効果を継続させることが可能となる。
【００３８】
さらに、このシャッタースラットの構造によれば、カバー１２の外側面１２ａに設けられた突条体１５が、シャッターカーテン閉鎖時における連結された各シャッタースラット２に対して当接し密着状態となることから、雨水の浸入を防ぐことが可能となる。特に、突条体１５を、上半部１５ａと下半部１５ｂとで構成し、上半部１５ａを上方のシャッタースラット２の突条部９に下方から密着し、下半部１５ｂを取付溝１０の溝開口縁部１０ｂに上方から密着する構成としたので、シャッタースラット１の裏面側方向には間隙の生じない構成となり、各シャッタースラット２の連結部分において、水密性を備えることとなる。そして、上述したシャッタースラット２同士の擦れ合うことでの騒音の低減をシャッターカーテン閉鎖時においても得ることが可能であり、すなわちシャッターカーテン閉鎖時における防水効果と消音効果の双方を得ることが可能となる。
【００３９】
なお、上述した実施の形態では、突条体１５を、カバー１２と一体構造とした例として説明したが、この突条体１５はカバー１２と別体構造としてもよく、このカバー１２に対し、接着などの手段にて一体構成とすることとしても良い。特にこの突条体１５が、各係合部７，８側に対して密着度を高めるように、やや軟質な合成樹脂素材にて構成することとしてもよく、さらにはその断面形状についても所定の形状とし、構成することとしてもよい。
【００４０】
また、上述した実施の形態では、突条体１５の形状を上半部１５ａと下半部１５ｂとで構成する例について述べたが、１つの断面半円形状、或いは所定の断面形状の突条体１５で構成することとしてもよい。この場合も、図３に示すように、好ましくは、突条体１５が、第１の係合部７内の突条部９と、取付溝１０の開口縁部１０ｂとに当接状態とされ、それぞれに密着する構成とする。
【００４１】
さらに、上述した実施の形態では、突条体１５が、シャッタースラット２の連結部分におけるそれぞれに密着する構成としたが、少なくとも連結状態における上方のシャッタースラット２の第１の係合部７に密着する構成とすればよく、図４に示すように、１つの突条体１５にて構成し、第１の係合部７内の突条部９に下方より当接し密着する構成としてもよい。
【００４２】
また、上述した実施の形態では、カバー１２の外側面１２ａに突条体１５を設け、第１の係合部７の突条部９と取付溝１０の溝開口縁部１０ｂとに当接する例、すなわち、カバー１２の外側面側が、シャッタースラット２に当接し密着する構成とした例について述べたが、図５に示すように、カバー１２の内側面１２ｂに凸部１７を設ける構成とし、第２の係合部８の外側面８ｂに当接することとしてもよい。この凸部１７は、カバー１２の外側面１２ａに設けられる突条体１５の配置位置の裏面となるカバー１２の内側面１２ｂに位置し、このカバー１２の長手方向に沿って連続して又は断続して条状に突出形成される。好ましくは、この凸部１７の断面形状は、第２の係合部８の外側面８ｂに沿う形状とされ、例えば、図５に示すように、断面略三角形状とされて、その斜面部分が内側面１２ｂに連続し第２の係合部８の外側面８ｂに沿う形状とされる。この凸部１７によれば、各シャッタースラット２同士が連結されて構成されるシャッターカーテン１が建物などの開口部を閉鎖する状態において、カバー１２の外側面１２ａの突条体１５が第１の係合部７の突条部９と取付溝１０の溝開口縁部１０ｂとに当接し密着するとともに、カバー１２の内側面１２ｂの凸部１７が第２の係合部８の外側面８ｂに当接し密着することとなり、この凸部１７により、突条体１５が第２の係合部８に対して押圧状態となって、第１の係合部７側に向けてより密着性を向上することとなる。
【００４３】
さらに、図６に示すように、第１，第２の係合部７，８の形状が、上述した実施の形態での形状と異なるような構成のシャッタースラット２である場合についても、上記した実施の形態と同様に、第２の係合部８に、これを覆うようなカバー１２を取り付け、各係合部７，８間にこのカバー１２を介在させる構成とし、カバー１２に突条部１５を設けた構成とすることで、上記同様の効果を得ることが可能である。なお、この例では、図６に示すように、取付溝１０を第２の係合部８の先端側に配置し、抜止片１４をカバー１２の中途部に設けて、第２の係合部８に取り付ける構成とする。
【００４４】
また、上述した実施の形態では、第１の係合部７の内面７ｃに突条部９を設けた例について述べたが、この突条部８が形成されていない構成としてもよい。この場合、突条体１５は、第１の係合部７の内面７ｃに対して当接して、密着すればよい。
【００４５】
さらに、上述した実施の形態では、カバー１２の第２の係合部８への取付構造として、第２の係合部８の基端に設けられる取付溝１０にカバー１２の抜止片１４を装着して取り付ける例としたが、その他の固定手段を用いて取り付ける構成としてもよい。例えば、ステイプルなどを用いて第２の係合部８或いはスラット本体３に固定する構成としてもよく。この場合、このステイプルをシーリング剤などで被覆して防水性を有するように構成させるのが好ましい。
【００４６】
また、上述した実施の形態では、カバー１２と突条体１５を一体とする構成とした例について述べたが、第２の係合部８の外側面８ｂに、突条体１５が突出するように設けられる構成としてもよい。例えば、図７に示すように、第２の係合部８の外側面８ｂに突条体１５を設け、各シャッタースラット２に当接し密着する構成としてもよく、或いは、図８に示すように、第１の係合部７の内面７ｃ或いはこの内面７ｃに設けられる突条部９に当接し密着することとなればよい。このような突条体１５の場合、接着などの手段にて第２の係合部８の外側面８ａに固着される構成とすればよい。また、この場合の各係合部７，８間に介在させる消音のためのカバー１２は、別構成とし、第２の係合部８を被覆する構成とすればよい。
【００４７】
さらに、上述した実施の形態では、中空部４を備えた形状のシャッタースラット２としたが、シャッタースラット２の形状としては、これに限定されることはなく、所定の形状であれば上記同様の効果を得られるものである。
【００４８】
また、上述した実施の形態では、シャッタースラット２の素材として、アルミニウムを例として挙げたが、その他の素材として、スチールや、ステンレスなどその他の金属材料にて構成しても良い。
【００４９】
【発明の効果】
以上説明したように本発明によるシャッタースラットの構造によれば、第１の係合部内に係合する第２の係合部の外側面に突条体を設けたので、この突条体が、第１の係合部の内面、或いはこの内面に設けられる突条部に対して当接し密着することとなり、シャッターカーテンを構成する各シャッタースラット同士の連結部分において、外部からの雨水などの浸入が防止される。
【００５０】
また、第２の係合部を被覆するように設けられるカバーにより、各シャッタースラットを連結した状態で、第１の係合部との間に、カバーが介在することとなり、シャッターカーテンの開閉時などの動作の際に、各シャッタースラットの素材である金属同士が擦れ合うことがなく、カバーを介しての緩衝及び摺動が行われ、不快な音を抑制することができ、すなわち、シャッターカーテンの開閉時の騒音が低減される。またこのカバーの外側面に突条体を設けたことで、この突条体が、第１の係合部の内面、或いはこの内面に設けられる突条部に対して当接し密着することとなり、シャッターカーテンを構成する各シャッタースラット同士の連結部分において、外部からの雨水などの浸入が防止される。
【００５１】
さらに、取付溝を設け、この取付溝にて抜脱不能にカバーを設ける構成としたことで、カバーがシャッタースラットから脱落することがなく、繰り返し開閉動作などを行っても、消音効果を継続させることが可能となる。
【００５２】
また、突条体を、第１の係合部の内面に設けられる突条部と、取付溝の溝開口縁部に対して当接し密着する構成としたことで、シャッタースラット同士の連結部分において、その上下のシャッタースラット間にて外部からの雨水などの浸入を防止することが可能となる。
【００５３】
さらに、突条体を、第１の係合部の内面に設けられる突条部に対して当接する上半部と、取付溝の溝開口縁部に対して当接する下半部とで構成したことで、これら突条部と溝開口縁部とに対して、それぞれで上半部と下半部とで当接し密着することとなり、シャッタースラット同士の連結部分において、シャッタースラットの裏面側方向には間隙の生じない構成となり、その上下のシャッタースラット間にて外部からの雨水などの浸入を防止することができる。
【００５４】
また、突条体の配置位置の裏面となる位置におけるカバーの内側面に、第２の係合部の外側面に当接する凸部を設けた構成とすることで、カバー外側面の突条体が第１の係合部の突条部と取付溝の開口縁部とに当接し密着するとともに、この凸部が第２の係合部の外側面に当接し密着することとなり、この凸部により、突条体が第２の係合部に対して押圧状態となって、第１の係合部側に向けてより密着性を向上することとなる。これにより、シャッタースラットの裏面側方向に、より間隙の生じない構成となり、その上下のシャッタースラット間にて外部からの雨水などの浸入を防止することが可能となる。
【００５５】
さらに、カバーを合成樹脂素材より構成することで、シャッターカーテンの開閉時などの動作の際に、各シャッタースラットの素材である金属同士が擦れ合うことがなく、樹脂素材による緩衝及び摺動が行われ、不快な音を抑制することができる。
【００５６】
また、突条体を合成樹脂より得る構成とすることで、第１の係合部内面や、この内面に突設される突条部に対しての密着性を高めることが可能となり、防水性能を向上させることが可能となる。
【図面の簡単な説明】
【図１】本発明によるシャッタースラットの構造の実施の形態を示す一部拡大分解斜視図である。
【図２】同シャッタースラットの構造の側面図である。
【図３】本発明によるシャッタースラットの構造の他の実施の形態を示す拡大側面図である。
【図４】本発明によるシャッタースラットの構造の他の実施の形態を示す拡大側面図である。
【図５】本発明によるシャッタースラットの構造の他の実施の形態を示す一部分解側面図である。
【図６】本発明によるシャッタースラットの構造の他の実施の形態を示す一部分解側面図である。
【図７】本発明によるシャッタースラットの構造の他の実施の形態を示す拡大側面図である。
【図８】本発明によるシャッタースラットの構造の他の実施の形態を示す拡大側面図である。
【符号の説明】
１…シャッターカーテン
２…シャッタースラット
３…スラット本体
３ａ…表面
５…下長辺部
６…上長辺部
７…第１の係合部
７ｃ…内面
８…第２の係合部
８ｂ…外側面
９…突条部
１０…取付溝
１０ｂ…開口縁部
１２…カバー
１２ａ…外側面
１２ｂ…内側面
１４…取付端縁（抜止片）
１５…突条体
１５ａ…上半部
１５ｂ…下半部
１７…凸部
【図１】
2004244996.tif 000003
【図２】
2004244996.tif 000004
【図３】
2004244996.tif 000005
【図４】
2004244996.tif 000006
【図５】
2004244996.tif 000007
【図６】
2004244996.tif 000008
【図７】
2004244996.tif 000009
【図８】
2004244996.tif 000010